(57)【要約】      （修正有）【課題】間柱が木製であっても軽量型鋼製であっても、堅固ですばやく取り付けることができる取り付けねじを装着した配線ボックスを提供する。【解決手段】屋等の建築構造物の間仕切りや壁面に配置される配線ボックス１であって、配線ボックスの取り付け面２に長孔状のスライド取り付け孔５を形成し、このスライド取り付け孔５の一端を取り付けねじ７のねじ径に対応させて狭隘に形成してねじ保持部６を形成し、このねじ保持部６に少なくとも頭部近傍部を同じリード角を有する多条ねじで形成した取り付けねじ７を圧入保持させてある。【選択図】図１
2011151876.tif 000002
【特許請求の範囲】
【請求項１】
配線ボックス(１)の取り付け面(２)に長孔状のスライド取り付け孔(５)を形成し、このスライド取り付け孔(５)の一端を取り付けねじ(７)のねじ径に対応させて狭隘に形成してねじ保持部(６)を形成し、このねじ保持部(６)に少なくとも頭部近傍部を同じリード角を有する多条ねじで形成した取り付けねじ(７)を圧入保持させてあることを特徴とする取り付けねじを装着した配線ボックス。
【請求項２】
ねじ部全体が同じリード角を有する多条ねじで形成してある請求項１に記載の取り付けねじを装着した配線ボックス。
【請求項３】
頭部近傍部の一定範囲を多条ねじで形成し、残りの部分は同じリード角を有する一条ねじによって形成されている請求項１に記載の取り付けねじを装着した配線ボックス。
【請求項４】
頭部近傍部の一定範囲および先端寄りの一定範囲を多条ねじで形成し、中間部が同じリード角を有する一条ねじによって形成されている請求項１に記載の取り付けねじを装着した配線ボックス。
【請求項５】
配線ボックス(１)の取り付け面(２)に長孔状のスライド取り付け孔(５)を形成し、このスライド取り付け孔(５)の一端を取り付けねじ(７)のねじ径に対応させて狭隘に形成してねじ保持部(６)を形成し、このねじ保持部(６)に頭部近傍部の一定範囲を先端寄り部のねじ部よりも小さなリード角と小さなピッチを有するねじに形成した取り付けねじ(７)を圧入保持させてあることを特徴とする取り付けねじを装着した配線ボックス。
【発明の詳細な説明】
【技術分野】
【０００１】
本発明は、家屋等の建築構造物の間仕切りや壁面に配置される配線ボックスに関し、特に壁構造材である間柱に取り付けるための取り付けねじを装着した配線ボックスに関する。
【背景技術】
【０００２】
従来、間柱への取り付けを簡略化できるようにするために、配線ボックスの取り付け面に長孔状のスライド取り付け孔を形成し、このスライド取り付け孔の一端に取り付けねじを保持固定できるようにした配線ボックスが提供されていてる(特許文献１)。
【先行技術文献】
【特許文献】
【０００３】
【特許文献１】実開昭５４−１０７０９９号公報
【発明の概要】
【発明が解決しようとする課題】
【０００４】
近年、家屋等建築構造物の壁面内に設置される間柱には、従来からの木製のものに加えて、軽量型鋼製のものや、スタッドと呼ばれる０.５mmから０.８mm程度の厚みを有する鋼板製の間柱も多用されている。このため、配線ボックスにあらかじめコースレットねじ、あるいは木ねじを一体に装着しておく場合、木製の間柱では問題はないが、軽量型鋼製間柱に使用した場合、その間柱の板厚に対して、ねじのピッチが数倍(３〜４倍以上)大きく、堅固に取り付けられないことが多いという問題がある。
【０００５】
本発明は、このような点に着目して提案されたもので、間柱が木製であっても軽量型鋼製であっても、堅固ですばやく取り付けることが出来る取り付けねじを装着した配線ボックスを提供することを目的としている。
【課題を解決するための手段】
【０００６】
上述の目的を達成するために、請求項１に記載した本発明は、配線ボックスの取り付け面に長孔状のスライド取り付け孔を形成し、このスライド取り付け孔の一端を取り付けねじのねじ径に対応させて狭隘に形成してねじ保持部を形成し、このねじ保持部に少なくとも頭部近傍部を同じリード角を有する多条ねじで形成した取り付けねじを圧入保持させてあることを特徴としている。
【０００７】
請求項２に記載の発明は、請求項１に記載の配線ボックスにおいて、ねじ部全体を同じリード角を有する多条ねじで形成してあることを特徴としている。また、請求項３に記載の発明は、請求項１に記載の配線ボックスにおいて、頭部近傍部の一定範囲を多条ねじで形成し、残りの部分は同じリード角を有する一条ねじによって形成されていることを特徴としている。さらに、請求項４に記載の発明は、請求項１に記載の配線ボックスにおいて、頭部近傍部の一定範囲および先端寄りの一定範囲を多条ねじで形成し、中間部が同じリード角を有する一条ねじによって形成されていることを特徴としている。
【０００８】
さらにまた、請求項５に記載の発明は、配線ボックスの取り付け面に長孔状のスライド取り付け孔を形成し、このスライド取り付け孔の一端を取り付けねじのねじ径に対応させて狭隘に形成してねじ保持部を形成し、このねじ保持部に頭部近傍部の一定範囲を先端寄り部のねじ部よりも小さなリード角と小さなピッチを有するねじに形成した取り付けねじを圧入保持させてあることを特徴としている。
【発明の効果】
【０００９】
本発明では、取り付けねじを同じリード角を有する多条ねじで形成していることから、軽量型鋼製間柱に取り付け時にはその頭部近傍部で堅固に堅固に取り付けることができ、また、多条ネジの特徴である、ねじ回しの回転角度に対する貫入深さは一条ねじと同じであることから、木製の間柱へもすばやく取り付けることが出来る。
【００１０】
そして、請求項３に記載した発明のように、頭部近傍部の一定範囲を多条ねじで形成し、残りの部分は同じリード角を有する一条ねじによって形成した場合には、木製の間柱への取り付け時にも、ねじ締めが硬くなる等の影響を少なくすることが出来る。さらに、請求項４に記載した発明のように、頭部近傍部の一定範囲および先端寄りの一定範囲を多条ねじで形成し、中間部が同じリード角を有する一条ねじによって取り付けねじを構成した場合には、軽量型構成間柱への初期貫通性能をさらによくすることが出来る。
【００１１】
また、請求項５に記載したように、頭部近傍部の一定範囲を先端寄り部のねじ部よりも小さなリード角と小さなピッチを有するねじで取り付けねじを構成した場合には、その頭部近傍部で堅固に堅固に取り付けることができるうえ、木製間柱に対しても、ねじ締めが硬くなる等の影響を少なくすることが出来る。
【００１２】
これにより間柱の素材によってねじを取り替える等の操作を省略することが出来るので作業性を大幅に向上させることが出来る。また、木製間柱用と軽量型鋼製間柱用を作り分けておく必要がないことから、生産管理も簡素化することが出来る。
【図面の簡単な説明】
【００１３】
【図１】配線ボックスの取り出し斜視図である。
【図２】取り付けねじの一例を示す正面図である。
【図３】図３(Ａ)は配線ボックスを木製間柱に取り付ける際の取り付け例を示す斜視図、図３(Ｂ)は組み付けた状態の要部断面図である。
【図４】図４(Ａ)は配線ボックスを軽量型鋼製間柱に取り付ける際の取り付け例を示す斜視図、図４(Ｂ)は組み付けた状態の要部断面図である。
【発明を実施するための形態】
【００１４】
この配線ボックス(１)は、前面開放状に形成してあり、その周壁の一面を取り付け面(２)に形成するとともに、この取り付け面(２)に連続し、かつ相対向している上下周側壁(３)に配線パイプ挿通孔(４)が設けてある。
【００１５】
取り付け面(２)には、その上下方向中央部に長孔状のスライド取り付け孔(５)が奥行き方向に刻設してあり、その前端寄り部分に取り付けねじのねじ径に対応させた狭隘部を形成してねじ保持部(６)としている。
【００１６】
図２は配線ボックス(１)にセットされる取り付けねじ(７)を示し、図２(Ａ)に示す取り付けねじ(７)は、全体を同じリード角を有する二条ねじ(８)に形成したものである。図２(Ｂ)に示す取り付けねじ(７)は、頭部近傍部の一定範囲(ａ)を同じリード角を有する二条ねじ(８)に形成したものである。また、図２(Ｃ)に示す取り付けねじ(７)は、頭部近傍部の一定範囲(ａ)及び脚先端寄りの一定範囲(ｂ)を同じリード角を有する二条ねじ(８)に形成したものである。なお、上記の実施形態では、取り付けねじ(７)の少なくとも頭部近傍部を同じリード角を有する二条ねじ(８)に形成したが、この部分は、三条以上の多条ねじに形成してもよい。さらに、図２(Ｄ)に示す取り付けねじ(７)は頭部近傍部の一定範囲(ａ)でのリード角をその他の部分(脚部先端寄り部分)のリード角よりも狭い角度に形成して、その部分のねじピッチを小さく形成するようにしたものである。
【００１７】
このような配線ボックス(１)と図２(Ａ)に示す取り付けねじ(７)を使用して木製間柱(Ｃｗ)に取り付ける場合を図３に示す。木製間柱(Ｃｗ)の上下高さ方向適当な個所に配線ボックス(１)の取り付け面(２)を当接させた状態で、配線ボックス(１)に組みつけられている取り付けねじ(７)を電動ドライバー(９)等の工具を用いて捩じ込むことで、配線ボックス(１)を木製間柱(Ｃｗ)に確りと固定する。このとき、二条(多条)ねじの特徴である、ねじ回しの回転角度に対する貫入深さは一条ねじと同様であることから、すばやく取り付けることができる。図２(Ｂ)に示す取り付けねじ(７)や図２(Ｃ)に示す取り付けねじ(７)使用した場合も、取り付けねじ(７)は全体のリード角が同一になっていることから、木製間柱にへ取り付ける際に、ねじ締めが固くなる等の影響はほとんど生じることはない。
【００１８】
一方、このような配線ボックス(１)と取り付けねじ(７)を使用して軽量型鋼製間柱(Ｃｍ)に取り付ける場合には、図４に示すように、軽量型鋼製間柱(Ｃｍ)の上下高さ方向適当な個所に配線ボックス(１)の取り付け面(２)を当接させた状態で、配線ボックス(１)に組みつけられている取り付けねじ(７)を電動ドライバー(９)等の工具を用いて捩じ込むことで、配線ボックス(１)を軽量型鋼製間柱(Ｃｍ)に確りと固定する。このとき、取り付けねじ(７)は隣り合うねじ山の間隔が、通常の一条ねじでのねじ山間隔の１／２の細かさになっていることから、軽量型鋼製間柱(Ｃｍ)の肉厚に取り付けねじ(７)が確りと喰い込み、配線ボックス(１)がガタ付くことはない。また、図２(Ｃ)に示す取り付けねじ(７)を使用した場合には、軽量型鋼製間柱(Ｃｍ)への初期貫通性能をよくすることができる。
【００１９】
そして、配線ボックス(１)の取り付け面(２)には、長孔状のスライド取り付け孔(５)が奥行き方向に刻設してあることから、最終締め付けの前にボックスを前後に移動させることができ、壁表面に対する位置を決めてから最終締め付けをすることにより、配線ボックス(１)の蓋板となる操作バネルを壁面にピッタリと取り付けることができる。
【００２０】
上記の実施形態では、取り付けねじ(７)として、コースレットねじを基本に形成したものについて説明したが、ねじ先端部分に切れ刃状のドリルネジ加工を施し、焼入れ処理を施したものであってもよい。
【産業上の利用可能性】
【００２１】
建築構造物の間仕切りや壁面に、間柱の種類にかかわらず堅固で素早く取り付けることができる。
【符号の説明】
【００２２】
１…配線ボックス、２…配線ボックスの取り付け面、５…スライド取り付け孔、６…ねじ保持部、７…取り付けねじ。
【図１】
2011151876.tif 000003
【図２】
2011151876.tif 000004
【図３】
2011151876.tif 000005
【図４】
2011151876.tif 000006